(57)【要約】【課題】  転写装置において、転写材の裏面汚れの防止及び転写ローラの高寿命化を実現し、高濃度画像においても良好な転写性を確保することである。【解決手段】  硬度が３５°以上である転写ローラ９ａにより像担持体である中間転写ベルト１４上のトナー像を転写材に転写し、転写材が中間転写ベルト１４と転写ローラ９ａとの間に存在しない場合に転写ローラ９ａ上のトナーを中間転写ベルト１４に転移させる電解を形成するようにした。これにより、転写ローラ９ａに付着したトナーを良好に除去することが可能になるため、転写材の裏面汚れの防止及び転写ローラ９ａの高寿命化を実現することができ、さらに、転写に十分な圧接力を得ることが可能になるため、高濃度画像においても良好な転写性を確保することができる。【選択図】    図２
2005173449.tif 000002
【特許請求の範囲】
【請求項１】
トナー像を担持する像担持体に当接する転写ローラにより前記像担持体上のトナー像を転写材に転写し、前記転写材が前記像担持体と前記転写ローラとの間に存在しない場合に前記転写ローラ上のトナーを前記像担持体に転移させる電界を形成する転写装置において、
前記転写ローラの硬度は３５°以上であることを特徴とする転写装置。
【請求項２】
前記転写ローラはソリッドタイプのローラである、
ことを特徴とする請求項１記載の転写装置。
【請求項３】
前記転写ローラは、内部層とこの内部層に積層された表層とを有するローラである、
ことを特徴とする請求項１記載の転写装置。
【請求項４】
前記転写ローラの表層は弾性ソリッド層である、
ことを特徴とする請求項３記載の転写装置。
【請求項５】
前記転写ローラに当接し、前記転写ローラ上をクリーニングするクリーニング部材を具備する、
ことを特徴とする請求項１ないし４のいずれか一記載の転写装置。
【請求項６】
前記クリーニング部材を前記転写ローラに対して接離自在に移動させる移動装置を具備する、
ことを特徴とする請求項５記載の転写装置。
【請求項７】
前記クリーニング部材はブラシ部材である、
ことを特徴とする請求項５又は６記載の転写装置。
【請求項８】
前記ブラシ部材はブラシローラである、
ことを特徴とする請求項７記載の転写装置。
【請求項９】
前記クリーニング部材はフィルム部材である、
ことを特徴とする請求項５又は６記載の転写装置。
【請求項１０】
前記クリーニング部材はクリーニングブレードである、
ことを特徴とする請求項５又は６記載の転写装置。
【請求項１１】
前記転写ローラ上のトナーの剥離特性を向上させるための剥離剤を前記転写ローラに塗布する塗布装置を具備する、
ことを特徴とする請求項１ないし１０のいずれか一記載の転写装置。
【請求項１２】
前記塗布装置は、
前記転写ローラに当接するブラシローラと、
前記剥離剤を固形化することで形成されており、前記ブラシローラに当接する固形部材と、
を具備する、
ことを特徴とする請求項１１記載の転写装置。
【請求項１３】
トナー像を担持する像担持体と、
前記像担持体上のトナー像を転写材に転写させる請求項１ないし１２のいずれか一記載の転写装置と、
前記転写装置により転写されたトナー像を前記転写材に定着させる定着装置と、
を具備する画像形成装置。
【発明の詳細な説明】
【技術分野】
【０００１】
本発明は、転写装置及び画像形成装置に関する。
【背景技術】
【０００２】
近年、電子写真プロセスを利用した複写機、プリンタ、ファクシミリあるいはこれらの機能を複合させた複合機（ＭＦＰ）等の画像形成装置が普及している。
【０００３】
このような画像形成装置としては、直接転写方式や間接転写方式の画像形成装置がある。例えば、直接転写方式の画像形成装置は、像担持体である感光体上に形成したトナー像を転写材である転写紙に転写し、その後定着させる装置であり、間接転写方式の画像形成装置は、感光体上に形成したトナー像を中間転写ベルト等の中間転写体（像担持体）を介して転写紙に転写し、その後定着させる装置である。また、中間転写体を用いてカラー画像を形成する画像形成装置では、色毎に感光体上に形成したトナー像を中間転写体上に順次転写して重ね合わせた後、一括して転写材に転写する。
【０００４】
中間転写体から転写材にトナー像を転写させる転写装置は、発泡スポンジタイプの転写ローラを有している。発泡スポンジタイプの転写ローラはローラ表面の発泡穴部に画像形成に不要なトナーをある程度蓄積し、転写紙裏面の汚れを防ぐ効果をもたらしている。ところが、ジャム時のように転写紙が転写ローラまで到達しないため、本来転写紙に転写されるトナーが直接転写ローラに転写してしまう場合がある。このような場合、大量のトナーが転写ローラに付着することになる。この後、転写紙を通紙すると、転写紙裏面が汚れてしまうため、通常、転写ローラをクリーニングするクリーニングモードが実行される。
【０００５】
クリーニングモードは転写ローラ上のトナーを中間転写体へ逆転写するために転写ローラを回転させながらそれぞれに正負が異なるバイアスを与える。通常、転写ローラが１回転するだけでは転写ローラに付着したトナーは中間転写体に戻りきらず、相当数の回転が必要になり、十から数十秒の時間がかかり、装置が使用可能になるまでの待ち時間が長くなる。最近では、その待ち時間を短縮することが市場により要求されている。
【０００６】
【特許文献１】特開２００３−０１５４４２公報
【特許文献２】特開平７−２７１１４２号公報
【発明の開示】
【発明が解決しようとする課題】
【０００７】
しかしながら、上述したようなクリーニングモードを繰り返しても、転写ローラの発泡穴部の奥深くに位置するトナーは取れきれず、転写ローラの経時品質劣化が生じ、部品寿命が短くなるという問題がある。さらに、カラーで濃度が高い画像を転写するためには、高い圧接力が必要であるが、軟らかい転写ローラでは十分な圧接力を得ることができないという問題もある。
【０００８】
本発明の目的は、転写材の裏面汚れの防止及び転写ローラの高寿命化を実現し、高濃度画像においても良好な転写性を確保することである。
【０００９】
本発明の別の目的は、転写ローラのクリーニング時間の短縮を実現することである。
【課題を解決するための手段】
【００１０】
請求項１記載の発明の転写装置は、トナー像を担持する像担持体に当接する転写ローラにより前記像担持体上のトナー像を転写材に転写し、前記転写材が前記像担持体と前記転写ローラとの間に存在しない場合に前記転写ローラ上のトナーを前記像担持体に転移させる電界を形成する転写装置において、前記転写ローラの硬度は３５°以上であることを特徴とする。
【００１１】
請求項２記載の発明は、請求項１記載の転写装置において、前記転写ローラはソリッドタイプのローラであることを特徴とする。
【００１２】
請求項３記載の発明は、請求項１記載の転写装置において、前記転写ローラは、内部層とこの内部層に積層された表層とを有するローラであることを特徴とする。
【００１３】
請求項４記載の発明は、請求項３記載の転写装置において、前記転写ローラの表層は弾性ソリッド層であることを特徴とする。
【００１４】
請求項５記載の発明は、請求項１ないし４のいずれか一記載の転写装置において、前記転写ローラに当接し、前記転写ローラ上をクリーニングするクリーニング部材を具備することを特徴とする。
【００１５】
請求項６記載の発明は、請求項５記載の転写装置において、前記クリーニング部材を前記転写ローラに対して接離自在に移動させる移動装置を具備することを特徴とする。
【００１６】
請求項７記載の発明は、請求項５又は６記載の転写装置において、前記クリーニング部材はブラシ部材であることを特徴とする。
【００１７】
請求項８記載の発明は、請求項７記載の転写装置において、前記ブラシ部材はブラシローラであることを特徴とする。
【００１８】
請求項９記載の発明は、請求項５又は６記載の転写装置において、前記クリーニング部材はフィルム部材であることを特徴とする。
【００１９】
請求項１０記載の発明は、請求項５又は６記載の転写装置において、前記クリーニング部材はクリーニングブレードであることを特徴とする。
【００２０】
請求項１１記載の発明は、請求項１ないし１０のいずれか一記載の転写装置において、前記転写ローラ上のトナーの剥離特性を向上させるための剥離剤を前記転写ローラに塗布する塗布装置を具備することを特徴とする。
【００２１】
請求項１２記載の発明は、請求項１１記載の転写装置において、前記塗布装置は、前記転写ローラに当接するブラシローラと、前記剥離剤を固形化することで形成されており前記ブラシローラに当接する固形部材と、を具備することを特徴とする。
【００２２】
請求項１３記載の発明の画像形成装置は、トナー像を担持する像担持体と、前記像担持体上のトナー像を転写材に転写させる請求項１ないし１２のいずれか一記載の転写装置と、前記転写装置により転写されたトナー像を前記転写材に定着させる定着装置と、を具備する。
【発明の効果】
【００２３】
請求項１記載の発明の転写装置によれば、転写ローラに付着したトナーを良好に除去することが可能になるため、転写材の裏面汚れの防止及び転写ローラの高寿命化を実現することができ、さらに、転写に十分な圧接力を得ることが可能になるため、高濃度画像においても良好な転写性を確保することができる。
【００２４】
請求項２記載の発明によれば、請求項１記載の転写装置において、転写ローラとしてソリッドタイプのローラを設けることによって、圧接の負荷に対して転写ローラの経時安定性を確保することができ、転写ローラの高寿命化を実現することができる。
【００２５】
請求項３記載の発明によれば、請求項１記載の転写装置において、転写ローラとして、内部層と表層とを有するローラを設けることによって、転写ローラの経時安定性と表面特性とを確保することができ、転写ローラの高寿命化を実現することができる。
【００２６】
請求項４記載の発明によれば、請求項３記載の転写装置において、転写ローラの表層として弾性ソリッド層を設けることによって、転写ローラのクリーニング時間を短縮することができ、さらに、確実に転写ローラの高寿命化を実現することができる。
【００２７】
請求項５記載の発明によれば、請求項１ないし４のいずれか一記載の転写装置において、転写ローラ上をクリーニングするクリーニング部材を設けることによって、トナーや紙粉等の異物を除去することができ、さらに、転写ローラのクリーニング時間の短縮を実現することができる。
【００２８】
請求項６記載の発明によれば、請求項５記載の転写装置において、クリーニング部材を転写ローラに対して接離自在に移動させる移動装置を設けることによって、クリーニング部材を常時転写ローラに圧接させている場合に比べ、転写ローラに対する負荷が小さくなるため、転写ローラの高寿命化を実現することができる。
【００２９】
請求項７記載の発明によれば、請求項５又は６記載の転写装置において、クリーニング部材としてブラシ部材を設けることによって、異物の除去効率を向上させることができる。
【００３０】
請求項８記載の発明によれば、請求項７記載の転写装置において、ブラシ部材としてブラシローラを設けることによって、転写ローラに対する負荷を低減し、転写ローラの高寿命化を実現することができ、簡単な構成で異物の除去効率を向上させることができる。
【００３１】
請求項９記載の発明によれば、請求項５又は６記載の転写装置において、フィルム部材でクリーニング部材を構成することによって、異物の除去効率を向上させることができる。
【００３２】
請求項１０記載の発明によれば、請求項５又は６記載の転写装置において、クリーニングブレードでクリーニング部材を構成することによって、異物の除去効率、特にトナーの除去効率を向上させることができる。
【００３３】
請求項１１記載の発明によれば、請求項１ないし１０のいずれか一記載の転写装置において、転写ローラに剥離剤を塗布する塗布装置を設けることによって、トナーの除去効率をさらに向上させることができ、加えて、転写ローラのクリーニング時間の短縮を実現することができる。
【００３４】
請求項１２記載の発明によれば、請求項１１記載の転写装置において、転写ローラに当接するブラシローラと、剥離剤を固形化することで形成されておりブラシローラに当接する固形部材とから塗布装置を構成することによって、簡単な構成でトナーの除去効率を向上させることができる。
【００３５】
請求項１３記載の発明によれば、請求項１ないし１２のいずれか一記載の発明と同様な効果を奏する。
【発明を実施するための最良の形態】
【００３６】
本発明の第一の実施の形態を図１及び図２に基づいて説明する。図１は本実施の形態の画像形成装置であるタンデム方式のフルカラープリンタ１の内部の概略構造を示す側面図である。
【００３７】
図１に示すように、フルカラープリンタ１の装置本体２内には、画像形成部３、光書込ユニット４、用紙収納部である給紙カセット５、定着装置６等が収納されている。
【００３８】
画像形成部３は、各々異なる色のトナー像を形成する４つの作像ユニット７Ｙ，７Ｃ，７Ｍ，７Ｋ（Ｙ，Ｃ，Ｍ，Ｋの添え字は各々イエロー、シアン、マゼンタ、ブラックの色を意味する）、これらの作像ユニット７の上側に位置する中間転写ユニット８、二次転写装置９等から構成されている。
【００３９】
４つの作像ユニット７の構造は同じあり、矢印方向に回転駆動される像担持体であるドラム状の感光体１０、この感光体１０の周囲に静電写真プロセスの順に配置された帯電装置１１、現像装置１２、クリーニング装置１３等により構成されている。４つの感光体１０は互いに平行であって等間隔に配置されている。各感光体１０は、例えば、直径３０〜１００ｍｍ程度のアルミニウム円筒表面に光導電性物質である有機半導体層を設けた構成とされている。
【００４０】
中間転写ユニット８は、中間転写体（像担持体）である中間転写ベルト１４、中間転写ベルト１４を回転可能に支持する複数の支持ローラ１５ａ〜１５ｃ、４つの一次転写装置１６、クリーニング装置１７等により構成されている。中間転写ベルト１４は、例えば、基体の厚さが５０〜６００μｍ程度の樹脂フィルム又はゴムを基体とする無端ベルトであって、感光体１０上のトナー像を転写可能とする抵抗値を有している。複数の支持ローラ１５ａ〜１５ｃは、例えば表層と内部層との２層から形成されており、内部層が金属で形成され、表層がゴム材で形成されている。
【００４１】
光書込ユニット４は作像ユニット７の下側に配置され、ＹＣＭＫの色毎の画像データに対応するレーザ光を各感光体１０の表面に向けて照射し、各感光体１０の表面に静電潜像を形成する。光書込ユニット４には、この光書込ユニット４から各帯電装置１１と各現像装置１２との間に照射されるレーザ光が通過する細長いスリットが形成されている。この光書込ユニット４としては、レーザ光源やポリゴンミラー等を用いたレーザスキャン方式のユニットを示しているが、例えばＬＥＤアレイと結像手段とを組合せた方式のユニットを用いても良い。
【００４２】
給紙カセット５は、転写材である転写紙Ｓを収容保持する。この転写紙Ｓは給紙ローラ１８により一枚ずつ分離され画像形成部３に向けて給紙される。
【００４３】
定着装置６は、定着ローラ６ａと加圧ローラ６ｂとを備え、トナー像が転写された転写紙Ｓに熱と圧力とを加えることによりそのトナー像を転写紙Ｓに定着する。
【００４４】
ここで、二次転写装置９の構造について図２を参照して説明する。図２は二次転写装置９の概略構造を示す側面図である。
【００４５】
図２に示すように、二次転写装置９は、支持ローラ１５ａに中間転写ベルト１４を挟んで対向し中間転写ベルト１４に当接する転写ローラ９ａ、転写ローラ９ａに当接するブラシ部材であるブラシ９ｂを備えている。このブラシ９ｂは、転写ローラ９ａ上をクリーニングするクリーニング部材として機能する。
【００４６】
このような二次転写装置９は電界形成手段を有しており、転写時には中間転写ベルト１４上のトナー像を転写紙Ｓに転写する電界を形成し、逆転写時には転写ローラ９ａ上のトナーを中間転写ベルト１４上に転移させる電界を形成する。これにより、転写時には中間転写ベルト１４上のトナー像は転写紙Ｓに転写され、逆転写時には転写ローラ９ａ上のトナーは中間転写ベルト１４に転移する。なお、転写時とは、中間転写ベルト１４と転写ローラ９ａとの間に転写紙Ｓが存在する場合であり、逆転写時とは、中間転写ベルト１４と転写ローラ９ａとの間に転写紙Ｓが存在しない場合である。
【００４７】
転写ローラ９ａは、その硬度が３５°（ＪＩＳ  Ｋ  ６２５３）以上になるように形成されている。転写ローラ９ａは、例えば、ソリッドタイプのローラであり、表層２０ａと内部層２０ｂとを有する２層以上の層からなるローラである。表層２０ａは、例えば弾性ソリッド層であり、内部層２０ｂに積層されている。内部層２０ｂは、例えば金属で形成されている。
【００４８】
ブラシ９ｂは、転写ローラ９ａの軸方向に伸びて転写ローラ９ａに圧接しており、転写ローラ９ａの回転により転写ローラ９ａ上のトナーや紙粉等の異物を取り除く。なお、ここでは、ブラシ９ｂを用いているが、これに限るものではなく、例えばマイラ等のフィルム部材であるＰＥＴフィルムやブラシローラ等を用いても良い。
【００４９】
このような構成において、フルカラープリンタ１の基本的な動作について説明する。光書込ユニット４の半導体レーザから画像データに応じたレーザ光が出射され、このレーザ光が各感光体１０の表面に照射されることにより帯電済みの各感光体１０上に静電潜像が形成される。この静電潜像に対して各現像装置１２から供給されたトナーが付着し、トナー像として顕像化される。このトナー像は、感光体１０と同期して移動する中間転写ベルト１４上に各一次転写装置１６の転写作用で順次転写される。このように各感光体１０上に形成された異なる色のトナー像が中間転写ベルト１４上に順次重ね合わせて転写されることにより、中間転写ベルト１４上にはカラートナー像が形成される。
【００５０】
その後、中間転写ベルト１４上のカラートナー像は、二次転写装置９の転写作用により、すなわち中間転写ベルト１４上のトナー像を転写紙Ｓに転写する電界が形成されると、給紙カセット５から給紙されて転写ローラ９ａと中間転写ベルト１４との間の転写位置に送り込まれた転写紙Ｓに転写される。カラートナー像が転写された転写紙Ｓは定着装置６で定着処理され、定着処理後に装置本体２の上面部に形成されている排紙トレイ１９上に排紙される。
【００５１】
このとき、ジャム等により転写紙Ｓが転写ローラ９ａと中間転写ベルト１４との間に到達しない場合がある。この場合、本来転写紙Ｓに転写されるトナー像が直接転写ローラ９ａに転移してしまうことがある。また、原稿画像の大きさに比べて小さい転写紙Ｓが使用された場合にも、転写紙Ｓが存在しない領域でトナーが直接転写ローラ９ａに転移してしまうこともある。このような場合には、転写ローラ９ａ上に付着したトナーを取り除くクリーニング動作が実行される。
【００５２】
クリーニング動作は、転写紙Ｓが中間転写ベルト１４と転写ローラ９ａとの間に存在しない場合に所定のタイミングで実行される。すなわち、転写紙Ｓが中間転写ベルト１４と転写ローラ９ａとの間に存在しない場合に、所定のタイミングで転写ローラ９ａを回転駆動させる（転写ローラ９ａを一回転だけさせる）。このとき、二次転写装置９により転写ローラ９ａ上のトナーを中間転写ベルト１４上に転移させる電界が形成され、転写ローラ９ａ上のトナーが中間転写ベルト１４に転移して取り除かれる。さらに、ブラシ９ｂにより転写ローラ９ａ上のトナーや紙粉等の異物が取り除かれる。これにより、転写ローラ９ａがクリーニングされる。なお、転写ローラ９ａから中間転写ベルト１４に転移したトナーはクリーニング装置１７により取り除かれる。
【００５３】
本実施の形態では、転写ローラ９ａとして硬度が３５°（ＪＩＳ  Ｋ  ６２５３）以上のローラを用いることによって、転写ローラ９ａに付着したトナーを良好に除去することが可能になるため、転写紙Ｓの裏面汚れの防止及び転写ローラ９ａの高寿命化を実現することができ、さらに、転写に十分な圧接力を得ることが可能になるため、高濃度画像においても良好な転写性を確保することができる。
【００５４】
さらに、転写ローラ９ａとして硬度が３５°（ＪＩＳ  Ｋ  ６２５３）以上のローラを用い、転写ローラ９ａに当接するブラシ９ｂを設けることによって、転写ローラ９ａを一回転させる間にその表面からトナーや紙粉等の異物を完全に取り除くことが可能になるため、クリーニング時間を短縮することができる。また、転写ローラ９ａをソリッドタイプのローラで構成することによって、圧接の負荷に対して転写ローラ９ａの経時安定性を確保することができる。
【００５５】
本発明の第二の実施の形態を図３に基づいて説明する。図３は本実施の形態の二次転写装置９Ａの概略構造を示す側面図である。
【００５６】
本実施の形態の画像形成装置であるフルカラープリンタ１Ａと第一の実施の形態のフルカラープリンタ１との基本的な構造は同じであり、それらの相違点は、本実施の形態の二次転写装置９Ａと第一の実施の形態の二次転写装置９との構造が異なることである。ここでは、本実施の形態の二次転写装置９Ａについて説明する。なお、第一の実施の形態で示した部分は同一符号で示し、説明も省略する。
【００５７】
図３に示すように、二次転写装置９Ａは、ローラ１５ａに中間転写ベルト１４を挟んで対向し中間転写ベルト１４に当接する転写ローラ９ａ、転写ローラ９ａ上のトナーの剥離特性を向上させるための剥離剤を転写ローラ９ａに塗布する塗布装置９ｃ、転写ローラ９ａの表面のスクレーパとしてのクリーニング部材であるクリーニングブレード９ｄ、クリーニングブレード９ｄを転写ローラ９ａに対して接離自在に移動させる移動装置（図示せず）等を備えている。
【００５８】
塗布装置９ｃは、転写ローラ９ａに当接するブラシローラ９ｅと、転写ローラ９ａ上のトナーの剥離特性を向上させるための剥離剤からなりブラシローラ９ｅに当接する固形部材９ｆとから構成されている。固形部材９ｆは、例えばステアリン酸亜鉛等の剥離剤を固形化することで形成されており、ブラシローラ９ｅの回転によりブラシローラ９ｅ上に付着し、ブラシローラ９ｅを介して転写ローラ９ａの表面に剥離剤として塗布される。
【００５９】
移動装置は、転写ローラ９ａに対してクリーニングブレード９ｄを接離自在に支持する支持機構とクリーニングブレード９ｄを転写ローラ９ａに対する接離方向に移動させるための駆動源とから構成されている。
【００６０】
このような構成において、二次転写装置９Ａのクリーニング動作について説明する。なお、フルカラープリンタ１Ａの基本的な動作は第一の実施の形態と同様であり、クリーニング動作が異なる。
【００６１】
本実施の形態のクリーニング動作は、転写紙Ｓが中間転写ベルト１４と転写ローラ９ａとの間に存在しない場合に所定のタイミングで実行される。すなわち、転写紙Ｓが中間転写ベルト１４と転写ローラ９ａとの間に存在しない場合に、所定のタイミングで転写ローラ９ａを回転駆動させる（転写ローラ９ａを一回転だけさせる）。このとき、塗布装置９ｃの固形部材９ｆがブラシローラ９ｅ上に付着し、ブラシローラ９ｅを介して転写ローラ９ａの表面に剥離剤として塗布される。これにより、転写ローラ９ａ上に付着しているトナーは剥離しやすくなる。そして、二次転写装置９Ａの転写作用により、すなわち転写ローラ９ａ上のトナーを中間転写ベルト１４上に転移させる電界が形成され、転写ローラ９ａ上のトナーが中間転写ベルト１４に転移して取り除かれる。さらに、クリーニングブレード９ｄにより転写ローラ９ａ上のトナーや紙粉等の異物が完全に取り除かれる。これにより、転写ローラ９ａがクリーニングされる。なお、転写ローラ９ａから中間転写ベルト１４に転移したトナーはクリーニング装置１７により取り除かれる。
【００６２】
本実施の形態でも、第一の実施の形態と同様に、転写ローラ９ａとして硬度が３５°（ＪＩＳ  Ｋ  ６２５３）以上のローラを用いることによって、転写ローラ９ａに付着したトナーを良好に除去することが可能になるため、転写紙Ｓの裏面汚れの防止及び転写ローラ９ａの高寿命化を実現することができ、さらに、転写に十分な圧接力を得ることが可能になるため、高濃度画像においても良好な転写性を確保することができる。
【００６３】
また、転写ローラ９ａとして硬度が３５°（ＪＩＳ  Ｋ  ６２５３）以上のローラを用い、転写ローラ９ａに当接するクリーニングブレード９ｄを設けることによって、転写ローラ９ａを一回転させる間にその表面からトナーや紙粉等の異物を完全に取り除くことが可能になるため、クリーニング時間を短縮することができる。加えて、塗布装置９ｃを設けることによって、転写ローラ９ａの表面に剥離剤が塗布されるため、トナーの除去効率を向上させることができ、さらに転写ローラ９ａのクリーニング時間を短縮することができる。
【００６４】
なお、各実施の形態においては、中間転写ベルト１４を用いた間接転写方式のフルカラープリンタ１に転写装置９，９Ａを適用しているが、これに限るものではなく、直接転写方式のフルカラープリンタに転写装置９，９Ａを適用しても良い。したがって、中間転写ベルト１４及び感光体１０が像担持体として機能する。
【００６５】
なお、各実施の形態においては、転写ローラ９ａの硬度が３５°（ＪＩＳ  Ｋ  ６２５３）以上になるように転写ローラ９ａを形成しているが、例えば、転写ローラ９ａの硬度が３５°〜５０°の範囲になるように転写ローラ９ａを形成することで、他の硬度の場合に比べ、高濃度画像の画質をより良好にすることができる。
【実施例】
【００６６】
本発明の第一の実施の形態のフルカラープリンタ１又は本発明の第二の実施の形態のフルカラープリンタ１Ａを用いて、転写ローラ９ａの硬度を変化させて画像を形成し、転写紙Ｓの裏汚れ及び高濃度画像の画質を調べた。このとき、転写ローラ９ａにトナーを付着させ、クリーニング動作（転写ローラ９ａを一回転だけさせる）を実行し、その後画像を形成する。その結果を図４に示す。図４は転写紙Ｓの裏汚れ及び高濃度画像の画質に関する結果を示す説明図である。
【００６７】
図４に示すように、転写ローラ９ａの硬度が２５°又は３０°（ＪＩＳ  Ｋ  ６２５３）である場合には、転写紙Ｓの裏汚れが発生し、高濃度画像の画質も劣化することが確認された。転写ローラ９ａの硬度が３５°（ＪＩＳ  Ｋ  ６２５３）以上である場合には、転写紙Ｓの裏汚れが発生せず、高濃度画像の画質も良好であることが確認された。
【００６８】
したがって、転写ローラ９ａとして硬度が３５°（ＪＩＳ  Ｋ  ６２５３）以上のローラを用いることによって、転写紙Ｓの裏面汚れの防止及び転写ローラ９ａの高寿命化を実現し、高濃度画像においても良好な転写性を確保することができる。また、転写ローラ９ａを一回転させる間にその表面からトナーや紙粉の異物を完全に取り除くことが可能になり、クリーニング時間を短縮することができる。
【図面の簡単な説明】
【００６９】
【図１】本発明の第一の実施の形態の画像形成装置であるタンデム方式のフルカラープリンタの内部の概略構造を示す側面図である。
【図２】本発明の第一の実施の形態の二次転写装置の概略構造を示す側面図である。
【図３】本発明の第二の実施の形態の二次転写装置の概略構造を示す側面図である。
【図４】転写紙の裏汚れ及び高濃度画像の画質に関する結果を示す説明図である。
【符号の説明】
【００７０】
１，１Ａ      画像形成装置（フルカラープリンタ）
６            定着装置
９            転写装置（二次転写装置）
９ａ          転写ローラ
９ｂ，９ｄ    クリーニング部材（ブラシ、クリーニングブレード）
９ｂ          ブラシ部材（ブラシ）
９ｃ          塗布装置
９ｄ          クリーニングブレード
９ｅ          ブラシローラ
９ｆ          固形部材
１０，１４    像担持体（感光体、中間転写ベルト）
１４          中間転写ベルト
Ｓ            転写材（転写紙）
【図１】
2005173449.tif 000003
【図２】
2005173449.tif 000004
【図３】
2005173449.tif 000005
【図４】
2005173449.tif 000006